(57)【特許請求の範囲】
【請求項１】
複数の流体噴霧装置がそれぞれ噴霧した流体の流量を個別に検出する複数の流量検出手段と、
各前記流体噴霧装置が噴霧した流体の流量に関する信号を前記複数の流量検出手段から取得する制御装置と、
を備え、
前記制御装置は、
並んで配置される前記複数の流量検出手段の実際の順序に関する情報を取得し、
各前記流量検出手段が流量の検出を担当する前記流体噴霧装置を指定するための入力を補助する画像として、複数の入力欄を前記複数の流量検出手段の実際の順序と同様の順で画像表示装置に表示させ、
各前記流量検出手段が前記複数の流体噴霧装置のうちのどの流体噴霧装置が噴霧した流体の流量を検出するのかを指定する情報を取得することを特徴とする流体噴霧量測定装置。
【請求項２】
前記制御装置は、
前記複数の入力欄を、前記複数の流量検出手段の順序と同様の順に並べて前記画像表示装置に表示させることを特徴とする請求項１に記載の流体噴霧量測定装置。
【請求項３】
前記制御装置は、
前記複数の入力欄を、前記複数の流量検出手段の順序と同様の順に、前記画像表示装置に順次表示させることを特徴とする請求項１に記載の流体噴霧量測定装置。
【請求項４】
前記複数の流量検出手段は、複数の車両に分けられて搭載され、
前記制御装置は、並んで配置される前記複数の車両の順序に関する情報を取得することで、前記複数の流量検出手段の順序に関する情報を取得することを特徴とする請求項１から請求項３のいずれか一項に記載の流体噴霧量測定装置。
【請求項５】
前記制御装置は、
並んで配置される前記複数の流量検出手段の順序に関する情報を取得する際に、
前記複数の流量検出手段のうちの特定の流量検出手段が、所定の基準から数えて何番目に配置されているのかを指定する入力を補助する画像を前記表示装置に表示させることを特徴とする請求項１から請求項４のいずれか一項に記載の流体噴霧量測定装置。
【請求項６】
前記制御装置は、
並んで配置される前記複数の流量検出手段の順序に関する情報を取得する際に、
所定の基準から数えて特定の位置に配置されている流量検出手段が、前記複数の流量検出手段のうちのいずれかであるかを指定する入力を補助する画像を前記表示装置に表示させることを特徴とする請求項１から請求項４のいずれか一項に記載の流体噴霧量測定装置。
【請求項７】
複数の流体噴霧装置がそれぞれ噴霧した流体の流量を検出する複数の流量検出手段から取得した信号に基づいて、各前記流体噴霧装置が噴霧した流体の流量を計測する流体噴霧量測定方法であって、
並んで配置される前記複数の流量検出手段の実際の順序を指定する入力を補助する画像を画像表示装置に表示させる手順と、
並んで配置される前記複数の流量検出手段の実際の順序に関する情報を取得する手順と、
各前記流量検出手段が流量の検出を担当する前記流体噴霧装置を指定するための入力を補助する画像として複数の入力欄を、前記複数の流量検出手段の順序と同様の順に画像表示装置に表示させる手順と、
各前記流量検出手段が前記複数の流体噴霧装置のうちのどの流体噴霧装置から噴霧された流体の流量を検出するかを指定する情報を取得する手順と、
を含むことを特徴とする流体噴霧量測定方法。
【発明の詳細な説明】
【技術分野】
【０００１】
本発明は、流体噴霧装置の点検の際に用いられる流体噴霧量測定装置及び流体噴霧量測定方法に関する。
【背景技術】
【０００２】
流体噴霧装置は、消火用設備として例えばトンネルに設けられる。流体噴霧装置は、消火剤として例えば水を噴霧する。流体噴霧装置は、水を必要な流量分噴霧できるか否かを定期的に点検される必要がある。このような点検時に用いられる装置として、例えば、特許文献１には、水噴霧装置の無駄な水の噴霧を抑制できる水噴霧量測定装置が開示されている。
【先行技術文献】
【特許文献】
【０００３】
【特許文献１】特開２００７−３１９５４８号公報
【発明の概要】
【発明が解決しようとする課題】
【０００４】
流体噴霧装置は、一般的に複数設けられる。例えば、トンネルでは、複数の流体噴霧装置が、一列に並べられて配置される。そして、流体噴霧量測定装置は、流体噴霧装置から噴霧される流体の流量を検出する流量検出手段を複数備え、この複数の流量検出手段がそれぞれ流体噴霧装置に１つずつ割り当てられることになる。流体噴霧量測定装置は、複数の流量検出手段から複数の検出結果を一度に取得する。よって、ユーザーは、あらかじめ、どの流量検出手段が、どの流体噴霧装置の流量を検出するのかを指定する情報を流体噴霧量測定装置に入力しておく必要がある。
【０００５】
しかしながら、実際の現場では、流量検出手段を搭載する車両の順序が入れ替わることにより、流量検出手段の順序も入れ替わることがある。このような場合、ユーザーは、どの流量検出手段が、どの流体噴霧装置の流量を検出するのかを指定する際に、各流量検出手段と、各流体噴霧装置との組み合わせを考える必要がある。これにより、従来の流体噴霧装置では、ユーザーの負担が増加するおそれがある。ユーザーの負担が増加すると、ユーザーによって誤った情報が入力されるおそれも考えられる。
【０００６】
本発明は、上記に鑑みてなされたものであって、ユーザーによって誤った情報が入力されるおそれを抑制することを目的とする。
【課題を解決するための手段】
【０００７】
上述した課題を解決し、目的を達成するために、本発明に係る流体噴霧量測定装置は、複数の流体噴霧装置がそれぞれ噴霧した流体の流量を個別に検出する複数の流量検出手段と、各前記流体噴霧装置が噴霧した流体の流量に関する信号を前記複数の流量検出手段から取得する制御装置と、を備え、前記制御装置は、並んで配置される前記複数の流量検出手段の実際の順序に関する情報を取得し、各前記流量検出手段が流量の検出を担当する前記流体噴霧装置を指定するための入力を補助する画像として、複数の入力欄を前記複数の流量検出手段の実際の順序と同様の順で画像表示装置に表示させ、各前記流量検出手段が前記複数の流体噴霧装置のうちのどの流体噴霧装置が噴霧した流体の流量を検出するのかを指定する情報を取得することを特徴とする。
【０００８】
本発明の好ましい態様としては、前記制御装置は、前記複数の入力欄を、前記複数の流量検出手段の順序と同様の順に並べて前記画像表示装置に表示させることが望ましい。また、本発明の好ましい態様としては、前記制御装置は、前記複数の入力欄を、前記複数の流量検出手段の順序と同様の順に、前記画像表示装置に順次表示させることが望ましい。
【０００９】
上記構成により、本発明に係る流体噴霧量測定装置を用いれば、ユーザーは、入力を補助するための画像としての入力欄を、流量検出手段の実際の順序と同様の順で確認できる。よって、本発明に係る流体噴霧量測定装置は、各流量検出手段がどの流体噴霧装置が噴霧した水の流量を検出するのかをユーザーが指定する際に、ユーザーの負担を低減できる。結果として、本発明に係る流体噴霧量測定装置は、ユーザーによって誤った情報が入力されるおそれを抑制できる。
【００１０】
本発明の好ましい態様としては、前記複数の流量検出手段は、複数の車両に分けられて搭載され、前記制御装置は、並んで配置される前記複数の車両の順序に関する情報を取得することで、前記複数の流量検出手段の順序に関する情報を取得することが望ましい。
【００１１】
本発明の好ましい態様としては、前記制御装置は、並んで配置される前記複数の流量検出手段の順序に関する情報を取得する際に、前記複数の流量検出手段のうちの特定の流量検出手段が、所定の基準から数えて何番目に配置されているのかを指定する入力を補助する画像を前記表示装置に表示させることが望ましい。
【００１２】
本発明の好ましい態様としては、前記制御装置は、並んで配置される前記複数の流量検出手段の順序に関する情報を取得する際に、所定の基準から数えて特定の位置に配置されている流量検出手段が、前記複数の流量検出手段のうちのいずれかであるかを指定する入力を補助する画像を前記表示装置に表示させることが望ましい。
【００１３】
上記構成により、本発明に係る流体噴霧量測定装置を用いれば、ユーザーは、現場で配列されている流量検出手段の番号を見て、その順序通りに、所定の基準から数えて特定の位置に配置されている流量検出手段が前記複数の流量検出手段のうちのどれかを指定する情報を入力できる。よって、本発明に係る流体噴霧量測定装置は、ユーザーの負担を低減できる。結果として、本発明に係る流体噴霧量測定装置は、ユーザーが誤った情報を入力するおそれを抑制できる。
【００１４】
上述した課題を解決し、目的を達成するために、本発明に係る流体噴霧量測定方法は、複数の流体噴霧装置がそれぞれ噴霧した流体の流量を検出する複数の流量検出手段から取得した信号に基づいて、各前記流体噴霧装置が噴霧した流体の流量を計測する流体噴霧量測定方法であって、並んで配置される前記複数の流量検出手段の実際の順序を指定する入力を補助する画像を画像表示装置に表示させる手順と、並んで配置される前記複数の流量検出手段の実際の順序に関する情報を取得する手順と、各前記流量検出手段が流量の検出を担当する前記流体噴霧装置を指定するための入力を補助する画像として複数の入力欄を、前記複数の流量検出手段の順序と同様の順に画像表示装置に表示させる手順と、各前記流量検出手段が前記複数の流体噴霧装置のうちのどの流体噴霧装置から噴霧された流体の流量を検出するかを指定する情報を取得する手順と、を含むことを特徴とする。
【００１５】
本発明に係る流体噴霧量測定方法を用いれば、ユーザーは、入力を補助するための画像としての入力欄を、流量検出手段の実際の順序と同様の順で確認できる。よって、本発明に係る流体噴霧量測定方法を用いれば、各流量検出手段がどの流体噴霧装置が噴霧した水の流量を検出するのかをユーザーが指定する際に、ユーザーの負担を低減できる。結果として、本発明に係る流体噴霧量測定装置を用いれば、ユーザーによって誤った情報が入力されるおそれを抑制できる。
【００１６】
本発明は、ユーザーによって誤った情報が入力されるおそれを抑制できる。
【図面の簡単な説明】
【００１７】
【図１】図１は、水噴霧量測定用車両を示す概略図である。
【図２】図２は、水噴霧量測定装置を用いてスプリンクラーの点検をする様子を示す説明図である。
【図３】図３は、制御装置の構成を示すブロック図である。
【図４】図４は、第１制御装置の主処理部が有する機能を示すブロック図である。
【図５】図５は、第２制御装置から第６制御装置の各制御装置の主処理部が有する機能を示すブロック図である。
【図６】図６は、モード選択画面の画像を示す説明図である。
【図７】図７は、第１制御装置が実行する手順を示すフローチャートである。
【図８】図８は、車両順序入力用画像を示す説明図である。
【図９】図９は、他の車両順序入力用画像を示す説明図である。
【図１０】図１０は、スプリンクラー割当入力用画像を示す説明図である。
【図１１】図１１は、水噴霧量測定結果を示す図表である。
【発明を実施するための形態】
【００１８】
以下、本発明につき図面を参照しつつ詳細に説明する。なお、下記の実施の形態により、本発明が限定されるものではない。また、下記実施の形態における構成要素には、当業者が容易に想定できるものまたは実質的に同一のものが含まれる。
【００１９】
（実施形態）
図１は、水噴霧量測定用車両を示す概略図である。以下、流体噴霧装置としてのスプリンクラーは、流体として水を噴霧するものとして説明する。但し、流体噴霧装置は、水以外の液体消火剤を噴霧してもよい。流体噴霧量測定装置としての水噴霧量測定装置１は、例えば、道路用トンネルに複数設けられるスプリンクラーの点検に用いられる装置である。水噴霧量測定装置１は、図１に示すような水噴霧量測定用車両１０に搭載される。水噴霧量測定用車両１０は、車両本体１７と、リフト装置１８と、リフト台１９とを含んで構成される。リフト装置１８は、車両本体１７に取り付けられる。リフト装置１８は、リフト台１９を鉛直方向に移動させる装置である。水噴霧量測定装置１は、リフト台１９に取り付けられる。
【００２０】
水噴霧量測定装置１は、第１集水器具２１ａ及び第２集水器具２１ｂと、流量検出手段としての第１流量センサ２２ａ及び第２流量センサ２２ｂと、制御装置３０とを含んで構成される。第１集水器具２１ａ及び第２集水器具２１ｂは、スプリンクラーから噴霧される水を集めるための容器である。第１集水器具２１ａ及び第２集水器具２１ｂは、水平方向で間隔をあけて水噴霧量測定用車両１０のリフト台１９に設けられる。第１流量センサ２２ａは、第１集水器具２１ａに設けられて第１集水器具２１ａが集めた水の流量を検出する。第２流量センサ２２ｂは、第２集水器具２１ｂに設けられて第２集水器具２１ｂが集めた水の流量を検出する。なお、ここでいう流量とは、水の流れの中の或る断面を単位時間に通過する体積である。
【００２１】
制御装置３０は、第１流量センサ２２ａと、第２流量センサ２２ｂとにそれぞれ電気的に接続される。制御装置３０は、第１流量センサ２２ａから第１集水器具２１ａが集めた水の流量に関する信号、及び、第２流量センサ２２ｂから第２集水器具２１ｂが集めた水の流量に関する信号を取得する。本実施形態では、水噴霧量測定装置１は、集水器具を２つ有するものとして説明するが、水噴霧量測定装置１の構成はこれに限定されない。水噴霧量測定装置１は、例えば、集水器具を３つ以上備え、それぞれの集水器具に１つずつ流量センサが設けられてもよい。この場合、制御装置３０は、３つ以上の流量センサから、それぞれの集水器具が集めた水の流量を取得する。
【００２２】
図２は、水噴霧量測定装置を用いてスプリンクラーの点検をする様子を示す説明図である。本実施形態では、道路用トンネルに複数設けられるスプリンクラーの点検のために水噴霧量測定装置１が用いられる。道路用トンネルは、複数のスプリンクラーが設けられている。本実施形態では、これらの複数のスプリンクラーを、説明の便宜上、図２に示すように１番スプリンクラー４１から１２番スプリンクラー５２の１２個のスプリンクラーに区別する。これらの１２個のスプリンクラーは、１番スプリンクラー４１から１２番スプリンクラー５２まで順番に配列される。説明の便宜上、１番スプリンクラー４１を先頭側とし、１２番スプリンクラー５２を後尾側とする。なお、道路用トンネルに設けられるスプリンクラーの数は１２個というわけではない。図２には、１２個以上設けられるスプリンクラーのうちの１２個が示されている。
【００２３】
本実施形態では、例えば、６台の水噴霧量測定用車両１０が用いられる。説明の便宜上、６台の水噴霧量測定用車両１０を、１号車１１から６号車１６とする。また、１号車１１に搭載される制御装置を第１制御装置３１とし、２号車１２に搭載される制御装置を第２制御装置３２とし、３号車１３に搭載される制御装置を第３制御装置３３とし、４号車１４に搭載される制御装置を第４制御装置３４とし、５号車１５に搭載される制御装置を第５制御装置３５とし、６号車１６に搭載される制御装置を第６制御装置３６とする。本実施形態の制御装置３０は、以上の第１制御装置３１から第６制御装置３６の各制御装置を含んで構成される。
【００２４】
第１制御装置３１から第６制御装置３６の各制御装置は、有線式や無線式の通信回線によって各制御装置間で情報をやり取りできるように構成される。本実施形態では、第１制御装置３１から第６制御装置３６の各制御装置は、無線式の通信回線によって各制御装置間で情報をやり取りする。水噴霧量測定装置１は、第１制御装置３１が親機としての機能を実現し、第２制御装置３２から第６制御装置３６の各制御装置が子機としての機能を実現する。すなわち、水噴霧量測定装置１は、第２制御装置３２から第６制御装置３６の各子機から、親機である第１制御装置３１へ各測定結果が無線式の通信回線によって集められる構成である。ここで、測定結果とは、各制御装置に接続される第１流量センサ２２ａ及び第２流量センサ２２ｂが検出した水の流量である。
【００２５】
ここで、複数の水噴霧量測定用車両１０は、実際の現場では、１号車１１から６号車１６まで順序良く並んで隊列を組めるとは限らない。例えば、複数の水噴霧量測定用車両１０のうちの１台に不具合が生じた場合、不具合が生じた水噴霧量測定用車両１０を隊列から外し、隊列から外された水噴霧量測定用車両１０の分を詰めて水噴霧量測定を行うこともある。また、現場に到着した順に隊列を構成したために、車両の並び順がランダムになる場合もある。現場では、水噴霧量測定用車両１０以外の車両も道路用トンネルを通行するため、順序良く隊列を組みなおすことが困難である場合も考えられる。図２には、水噴霧量測定用車両１０の並び順がランダムな状態で水噴霧量測定を行う様子を示す。本実施形態では、複数の水噴霧量測定用車両１０は、先頭側から後尾側に向かって、２号車１２、３号車１３、１号車１１、５号車１５、４号車１４、６号車１６の順に隊列が組まれているとする。
【００２６】
ここで、１番スプリンクラー４１から１２番スプリンクラー５２の各スプリンクラーが噴霧した水の流量を、１番スプリンクラー４１から１２番スプリンクラー５２の順に、流量Ｆ０１から流量Ｆ１２とする。以上のように、複数の水噴霧量測定用車両１０が隊列を組むことにより、第２制御装置３２は、第１流量センサ２２ａが検出した流量Ｆ０１と、第２流量センサ２２ｂが検出した流量Ｆ０２とを取得する。また、第３制御装置３３は、第１流量センサ２２ａが検出した流量Ｆ０３と、第２流量センサ２２ｂが検出した流量Ｆ０４とを取得する。また、第１制御装置３１は、第１流量センサ２２ａが検出した流量Ｆ０５と、第２流量センサ２２ｂが検出した流量Ｆ０６とを取得する。また、第５制御装置３５は、第１流量センサ２２ａが検出した流量Ｆ０７と、第２流量センサ２２ｂが検出した流量Ｆ０８とを取得する。また、第４制御装置３４は、第１流量センサ２２ａが検出した流量Ｆ０９と、第２流量センサ２２ｂが検出した流量Ｆ１０とを取得する。また、第６制御装置３６は、第１流量センサ２２ａが検出した流量Ｆ１１と、第２流量センサ２２ｂが検出した流量Ｆ１２とを取得する。
【００２７】
図３は、制御装置の構成を示すブロック図である。図２に示す第２制御装置３２から第６制御装置３６の各制御装置は、第１制御装置３１と構成が共通する部分がある。よって、図３では、制御装置３０の構成の一例として、第１制御装置３１の構成を示す。制御装置３０は、Ｉ／Ｏインターフェイス６０と、記憶装置６１と、主処理部６２とを含んで構成される。Ｉ／Ｏインターフェイス６０は、通信アンテナ６３と、画像表示装置としての表示装置６４と、入力装置６５と、第１流量センサ２２ａと、第２流量センサ２２ｂとが電気的に接続される。主処理部６２は、Ｉ／Ｏインターフェイス６０を介して、通信アンテナ６３や、入力装置６５や、第１流量センサ２２ａや、第２流量センサ２２ｂからの各信号を取得する。また、主処理部６２は、Ｉ／Ｏインターフェイス６０を介して通信アンテナ６３や、表示装置６４へ信号を送信する。
【００２８】
記憶装置６１は、例えば、ハードディスクやメモリーカードである。記憶装置６１は、主処理部６２が実行するプログラムや、主処理部６２が演算する際に用いる一時ファイルや、主処理部６２によって算出された値、表示装置６４に表示させるための画像ファイルなどを記憶する。主処理部６２は、Ｉ／Ｏインターフェイス６０を介して信号を取得したり送信したりする。また、主処理部６２は、記憶装置６１から情報を取得したり、記憶装置６１に情報を格納したりする。主処理部６２は、Ｉ／Ｏインターフェイス６０を介して通信アンテナ６３から信号を受信したり信号を送信したりする。これにより、制御装置３０は、無線式の通信回線による各制御装置間での情報のやり取りを実現する。
【００２９】
また、主処理部６２は、表示装置６４に画像を表示させる信号をＩ／Ｏインターフェイス６０を介して表示装置６４に送ることにより、表示装置６４に画像を表示させる。また、主処理部６２は、Ｉ／Ｏインターフェイス６０を介して入力装置６５から信号を取得することにより、ユーザーが入力装置６５に対して入力した情報を取得する。また、主処理部６２は、第１流量センサ２２ａからＩ／Ｏインターフェイス６０を介して信号を取得することにより、第１流量センサ２２ａが検出した水の流量を算出する。また、主処理部６２は、第２流量センサ２２ｂからＩ／Ｏインターフェイス６０を介して信号を取得することにより、第２流量センサ２２ｂが検出した水の流量を算出する。
【００３０】
図２に示す第２制御装置３２から第６制御装置３６の各制御装置は、ユーザーによる情報の入力を受け付ける必要がない。また、第２制御装置３２から第６制御装置３６の各制御装置は、測定結果を示す画像や、入力を補助する画像を表示させる必要がない。よって、第２制御装置３２から第６制御装置３６の各制御装置は、表示装置６４及び入力装置６５を備えなくてもよい。
【００３１】
図４は、第１制御装置の主処理部が有する機能を示すブロック図である。本実施形態では、図３に示す主処理部６２は、単一の装置であって、その単一の装置が次に説明する複数の機能を有するものとして説明する。但し、主処理部６２は、異なる機能をそれぞれ有する複数の装置が互いに電気的に接続されて、前記複数の装置全体で次に説明する複数の機能を有する構成でもよい。まずは、親機である第１制御装置３１の主処理部６２ａが有する各機能を説明する。
【００３２】
主処理部６２ａは、通信部７０ａと、情報取得部７１ａと、演算部７２ａと、判定部７３と、情報格納部７４ａと、画像生成表示部７５との機能を有する。通信部７０ａは、通信アンテナ６３から信号を送受信する。情報取得部７１ａは、記憶装置６１から必要なプログラムを取得したり、記憶装置６１から演算に必要な数値を取得したりする。また、情報取得部７１ａは、第１流量センサ２２ａ及び第２流量センサ２２ｂから信号を取得する。また、情報取得部７１ａは、入力装置６５から信号を取得する。また、情報取得部７１ａは、通信部７０ａが受信した信号を取得する。
【００３３】
演算部７２ａは、情報取得部７１ａが第１流量センサ２２ａから取得した信号に基づいて、５番スプリンクラー４５が噴霧した水の流量Ｆ０５を算出する。また、演算部７２ａは、情報取得部７１ａが第２流量センサ２２ｂから取得した信号に基づいて、６番スプリンクラー４６が噴霧した水の流量Ｆ０６を算出する。情報格納部７４ａは、演算部７２ａが算出した値や、情報取得部７１ａが取得した情報を記憶装置６１に格納させる。画像生成表示部７５は、表示装置６４に表示させる画像を生成し、表示装置６４に前記画像を表示させる。前記画像は、ユーザーによる数値や指令の入力を補助するための画像である。
【００３４】
図５は、第２制御装置から第６制御装置の各制御装置の主処理部が有する機能を示すブロック図である。第２制御装置３２から第６制御装置３６の各主処理部６２ｂは、通信部７０ｂと、情報取得部７１ｂと、演算部７２ｂと、情報格納部７４ｂとの機能を有する。通信部７０ｂは、通信アンテナ６３から信号を送信する。ここで、通信部７０ｂが送信する信号は、演算部７２ｂが算出した値に関する信号である。情報取得部７１ｂは、記憶装置６１から必要なプログラムを取得したり、記憶装置６１から演算に必要な数値を取得したりする。情報取得部７１ｂは、第１流量センサ２２ａ及び第２流量センサ２２ｂから信号を取得する。演算部７２ｂは、情報取得部７１ｂが第１流量センサ２２ａから取得した信号に基づいて、第１流量センサ２２ａが検出した水の流量を算出する。また、演算部７２ｂは、情報取得部７１ｂが第２流量センサ２２ｂから取得した信号に基づいて、第２流量センサ２２ｂが検出した水の流量を算出する。情報格納部７４ｂは、演算部７２ｂが算出した値を記憶装置６１に一時的に格納させる。
【００３５】
図６は、モード選択画面の画像を示す説明図である。ユーザーは、第１制御装置３１の表示装置６４に表示される画像を確認しながら、入力装置６５に数値や指令を入力する。図６に示す画像は、第１制御装置３１にこれから実行させる処理を指定する入力を補助するための画像である。ユーザーは、次に説明する各ボタンを選択する（クリックする）ことにより、次に第１制御装置３１に次に実行させる処理を指定する。ここで、本実施形態では、以下に説明する各ボタンは、表示装置６４に表示された画像であって仮想のスイッチとしての機能を有するものである。但し、各ボタンは、例えば、実在するスイッチであって、例えば２つの接点間の通電を検出するスイッチでもよい。
【００３６】
図６に示すように、画像生成表示部７５は、表示装置６４に、測定開始ボタン８０ａと、設定ボタン８０ｂと、機器接続状態確認ボタン８０ｃと、終了ボタン８０ｄとを表示させる。測定開始ボタン８０ａは、水噴霧量測定装置１による水噴霧量の測定を開始するためのボタンである。設定ボタン８０ｂは、表示装置６４に現在表示されている画像から、水噴霧量測定を開始する前に必要な設定事項の入力を補助する画像に切り替えるためのボタンである。
【００３７】
機器接続状態確認ボタン８０ｃは、表示装置６４に現在表示されている画像から、例えば、第１制御装置３１と、第１流量センサ２２ａや第２流量センサ２２ｂとの接続状態を確認するための画像に切り替えるためのボタンである。ここで、水噴霧量測定装置１は、第１制御装置３１以外の第２制御装置３２から第６制御装置３６の各制御装置と、それぞれの第１流量センサ２２ａや第２流量センサ２２ｂとの接続状態に関する情報を、通信回線によって第１制御装置３１が取得できる構成であると好ましい。この場合、画像生成表示部７５は、第１制御装置３１以外の第２制御装置３２から第６制御装置３６の各制御装置と、それぞれの第１流量センサ２２ａや第２流量センサ２２ｂとの接続状態を確認するための画像も表示装置６４に表示できる。終了ボタン８０ｄは、制御装置３０による処理の実行を終了させるためのボタンである。
【００３８】
本実施形態の水噴霧量測定装置１は、水噴霧量の測定を開始する前に、必要な設定事項をユーザーによって入力される必要がある。本実施形態の水噴霧量測定装置１は、表示装置６４に表示させる画像であって、上述のようなユーザーによる情報の入力を補助するための画像に特徴がある。以下に、ユーザーが設定ボタン８０ｂを操作した後に、第１制御装置３１が実行する手順と、画像生成表示部７５が表示装置６４に表示させる画像とを説明する。
【００３９】
図７は、第１制御装置が実行する手順を示すフローチャートである。図７に示すように、ステップＳＴ１０１で、図４に示す情報取得部７１ａは、記憶装置６１から車両初期順序情報を取得する。車両仮順序情報とは、１号車１１から６号車１６までの各車両の順序に関する情報である。但し、車両仮順序情報は、１号車１１から６号車１６までの各車両の仮想の順序に関する情報であって、１号車１１から６号車１６までの各車両の実際の順序に関する情報ではない。車両仮順序情報は、例えば、１号車１１から６号車１６までの各車両が順序良く並べられたデフォルトの情報や、前回、水噴霧量測定を行った際に保存された車両順序情報と同一の情報である。
【００４０】
図８は、車両順序入力用画像を示す説明図である。次に、図７に示すステップＳＴ１０２で、画像生成表示部７５は、車両仮順序情報に基づいて図８に示す車両順序入力用画像を表示装置６４に表示させる。車両順序入力用画像は、１号車順番入力欄８１と、２号車順番入力欄８２と、３号車順番入力欄８３と、４号車順番入力欄８４と、５号車順番入力欄８５と、６号車順番入力欄８６とを含む。これらの図８に太線枠で示す各入力欄は、水噴霧量測定用車両１０が隊列を組む際に、１号車１１から６号車１６までの各水噴霧量測定用車両１０が所定の基準から数えて何番目に配置されているかを示す情報をユーザーが入力することを補助するための欄である。なお、ここでいう「欄」は、ユーザーによる入力がなされるまではステップＳＴ１０１で取得した車両仮順序情報に基づいた値（初期値）を示す画像によって表現され、ユーザーによる入力がなされた後はユーザーが入力した値を示す画像によって表現される。また、所定の基準とは、本実施形態では、図２に示す最も先頭側の水噴霧量測定用車両１０である。
【００４１】
ユーザーは、図８に示す車両順序入力用画像を確認しながら、水噴霧量測定用車両１０が隊列を組む際に、１号車１１から６号車１６までの複数の水噴霧量測定用車両１０のうち、特定の車両が何番目に配置されているかを示す情報を入力装置６５に入力する。具体的には、図２に示すように水噴霧量測定用車両１０が隊列を組む場合、ユーザーは、１号車順番入力欄８１に３を入力し、２号車順番入力欄８２に１を入力し、３号車順番入力欄８３に２を入力し、４号車順番入力欄８４に５を入力し、５号車順番入力欄８５に４を入力し、６号車順番入力欄８６に６を入力する。ユーザーは最後に完了ボタン８７を操作することで、車両順序の入力を完了する。
【００４２】
図９は、他の車両順序入力用画像を示す説明図である。ここで、車両順序入力用画像は、図８に示す画像に限定されない。例えば、車両順序入力用画像は、図９に示すように、１番目車両番号入力欄８１ａと、２番目車両番号入力欄８２ａと、３番目車両番号入力欄８３ａと、４番目車両番号入力欄８４ａと、５番目車両番号入力欄８５ａと、６番目車両番号入力欄８６ａとを含む。ユーザーは、図９に示す車両順序入力用画像を確認しながら、水噴霧量測定用車両１０が隊列を組む際に、所定の基準から数えて特定の位置の車両が何号車であるかを示す情報を入力装置６５に入力する。なお、ここでいう「所定の基準から数えて特定の位置の車両」とは、先頭側の水噴霧量測定用車両１０から数えて特定の台数目の水噴霧量測定用車両１０のことである。
【００４３】
具体的には、図２に示すように水噴霧量測定用車両１０が隊列を組む場合、ユーザーは、１番目車両番号入力欄８１ａに２を入力し、２番目車両番号入力欄８２ａに３を入力し、３番目車両番号入力欄８３ａに１を入力し、４番目車両番号入力欄８４ａに５を入力し、５番目車両番号入力欄８５ａに４を入力し、６番目車両番号入力欄８６ａに６を入力する。図９に示す車両順序入力用画像を表示装置６４に表示させる場合、ユーザーは、現場で隊列を成す複数の水噴霧量測定用車両１０の車両番号を見て、その順序通りに１番目車両番号入力欄８１ａから６番目車両番号入力欄８６ａまでの各入力欄に数値を入力できる。よって、水噴霧量測定装置１は、ユーザーによる思考量を低減できる。結果として、水噴霧量測定装置１は、ユーザーが誤った数値を入力するおそれを抑制できる。
【００４４】
ここで、各水噴霧量測定用車両１０の順序と、複数の流量センサの順序とは互いに関係がある。よって、本実施形態では、第１制御装置３１は、複数の水噴霧量測定用車両１０の順序に関する情報を取得することで、結果として複数の流量センサの順序に関する情報を取得している。例えば、第１制御装置３１は、図７に示すステップＳＴ１０２で、複数の水噴霧量測定用車両１０の順序ではなく、複数の流量センサの順序の入力を補助する画像を表示させてもよい。この場合であっても、水噴霧量測定装置１は、複数の流量センサの順序に関する情報を取得するという目的を達成できる。
【００４５】
第１制御装置３１が実行する手順の説明に戻る。図７に示すステップＳＴ１０３で、図４に示す判定部７３は、車両順序の入力がなされたか否かを判定する。具体的には、判定部７３は、図８及び図９に示す完了ボタン８７が操作された場合に車両順序情報の入力がなされたと判定し、図８及び図９に示すキャンセルボタン８８が操作された場合に車両順序情報の入力がなされていないと判定する。車両順序情報の入力がなされた場合（ステップＳＴ１０３、Ｙｅｓ）、ステップＳＴ１０４で、情報取得部７１ａは、ユーザーによって入力された車両順序情報を取得する。ここで、車両順序情報とは、１号車１１から６号車１６までの各車両の実際の順序に関する情報である。
【００４６】
次に、ステップＳＴ１０５で、情報格納部７４ａは、図８に示す１号車順番入力欄８１から６号車順番入力欄８６や、図９に示す１番目車両番号入力欄８１ａから６番目車両番号入力欄８６ａの各入力欄にユーザーによって入力された値に基づいて、車両順序情報を記憶装置６１に格納する。すなわち、情報格納部７４ａは、１号車１１から６号車１６までが隊列を成す時の水噴霧量測定用車両１０の実際の順序に関する情報が記載された設定ファイルを、ユーザーによって入力された値に基づいて新たに生成し、その新たな設定ファイルを記憶装置６１に格納する。ここで生成される設定ファイルには、１号車１１から６号車１６の各車両を識別する車両識別番号と、隊列内での順序を識別する車両順序識別番号とが組み合わされて記載されている。
【００４７】
車両順序の入力がなされていない場合（ステップＳＴ１０３、Ｎｏ）、情報格納部７４ａは、ステップＳＴ１１１で、車両仮順序情報を車両順序情報として記憶装置６１に格納する。ステップＳＴ１１１は、１号車１１から６号車１６の各車両の実際の順序が、デフォルトの情報である車両順序情報が示す順序と同一であるとユーザーが判断した場合に、情報格納部７４ａが実行するステップである。ステップＳＴ１１１を実行すると、第１制御装置３１は、ステップ１０６を実行する。
【００４８】
図１０は、スプリンクラー割当入力用画像を示す説明図である。次に、ユーザーは、複数設けられる各流量センサが、複数のスプリンクラーのうちのどのスプリンクラーが噴霧した水の流量を検出するかを指定する情報を入力装置６５に入力する。図１０に示すスプリンクラー割当入力用画像は、ユーザーによるこれらの情報の入力を補助するための画像である。ステップＳＴ１０６で、画像生成表示部７５は、図１０に示すスプリンクラー割当入力用画像を表示装置６４に表示させる。
【００４９】
スプリンクラー割当入力用画像は、図１０に示すように、１号車第１流量センサ担当スプリンクラー番号入力欄９１ａと、１号車第２流量センサ担当スプリンクラー番号入力欄９１ｂと、２号車第１流量センサ担当スプリンクラー番号入力欄９２ａと、２号車第２流量センサ担当スプリンクラー番号入力欄９２ｂと、３号車第１流量センサ担当スプリンクラー番号入力欄９３ａと、３号車第２流量センサ担当スプリンクラー番号入力欄９３ｂと、４号車第１流量センサ担当スプリンクラー番号入力欄９４ａと、４号車第２流量センサ担当スプリンクラー番号入力欄９４ｂと、５号車第１流量センサ担当スプリンクラー番号入力欄９５ａと、５号車第２流量センサ担当スプリンクラー番号入力欄９５ｂと、６号車第１流量センサ担当スプリンクラー番号入力欄９６ａと、６号車第２流量センサ担当スプリンクラー番号入力欄９６ｂとを含む。ユーザーは、図１０に示すスプリンクラー割当入力用画像を確認しながら、複数設けられる各流量センサが複数のスプリンクラーのうちのどのスプリンクラーを担当するのかを入力装置６５に入力する。なお、ここでいう「担当する」とは、噴霧された水の流量を検出するということである。
【００５０】
ここで、第１制御装置３１は、図２に示す各流量センサの実際の順序と、図１０に示すスプリンクラー割当入力用画像での各入力欄（９１ａ〜９６ｂ）の順序が同様である点に特徴がある。画像生成表示部７５は、ステップＳＴ１０６で、車両順序情報に基づいて、図２に示す各流量センサの実際の順序と、図１０に示すスプリンクラー割当入力用画像での各入力欄（９１ａ〜９６ｂ）が同様になるように、スプリンクラー割当入力用画像を生成する。
【００５１】
ここで、１号車第１流量センサ担当スプリンクラー番号入力欄９１ａから６号車第２流量センサ担当スプリンクラー番号入力欄９６ｂまでの各入力欄を表示する順序の決定方法を説明する。まず、情報取得部７１ａは、記憶装置６１から車両順序情報を取得する。具体的には、情報取得部７１ａは、記憶装置６１に格納されている設定ファイルを取得する。ここで、設定ファイルには、上述のように、１号車１１から６号車１６の各車両を識別する車両識別番号と、隊列内での順序を識別する車両順序識別番号とが組み合わされて記載されている。そして、画像生成表示部７５は、設定ファイルに記載されている車両順序識別番号を大小関係で整理することで、車両識別番号を大小関係で整理する。
【００５２】
車両識別番号は、１号車第１流量センサ担当スプリンクラー番号入力欄９１ａ及び１号車第２流量センサ担当スプリンクラー番号入力欄９１ｂのペアから、６号車第１流量センサ担当スプリンクラー番号入力欄９６ａ及び６号車第２流量センサ担当スプリンクラー番号入力欄９６ｂのペアまでの各入力欄と、それぞれ関連付けられている。画像生成表示部７５は、大小関係で整理された車両識別番号の並びと同じ順序となるように、１号車第１流量センサ担当スプリンクラー番号入力欄９１ａから６号車第２流量センサ担当スプリンクラー番号入力欄９６ｂまでの各入力欄を表示させる位置を決定される。なお、ここでいう位置とは、表示装置６４の画像表示領域内での位置である。
【００５３】
ここで、各水噴霧量測定用車両１０が図２に示す順序で隊列を成す場合を説明する。各流量センサが図２に示す順序で配置される場合、図４に示す画像生成表示部７５は、図１０に示すように、２号車第１流量センサ担当スプリンクラー番号入力欄９２ａ、２号車第２流量センサ担当スプリンクラー番号入力欄９２ｂ、３号車第１流量センサ担当スプリンクラー番号入力欄９３ａ、３号車第２流量センサ担当スプリンクラー番号入力欄９３ｂ、１号車第１流量センサ担当スプリンクラー番号入力欄９１ａ、１号車第２流量センサ担当スプリンクラー番号入力欄９１ｂ、５号車第１流量センサ担当スプリンクラー番号入力欄９５ａ、５号車第２流量センサ担当スプリンクラー番号入力欄９５ｂ、４号車第１流量センサ担当スプリンクラー番号入力欄９４ａ、４号車第２流量センサ担当スプリンクラー番号入力欄９４ｂ、６号車第１流量センサ担当スプリンクラー番号入力欄９６ａ、６号車第２流量センサ担当スプリンクラー番号入力欄９６ｂの順に各入力欄を配置する。
【００５４】
図２に示すように各流量センサが配置される場合、ユーザーは、２号車第１流量センサ担当スプリンクラー番号入力欄９２ａに４１を入力し、２号車第２流量センサ担当スプリンクラー番号入力欄９２ｂに４２を入力し、３号車第１流量センサ担当スプリンクラー番号入力欄９３ａに４３を入力し、３号車第２流量センサ担当スプリンクラー番号入力欄９３ｂに４４を入力し、１号車第１流量センサ担当スプリンクラー番号入力欄９１ａに４５を入力し、１号車第２流量センサ担当スプリンクラー番号入力欄９１ｂに４６を入力し、５号車第１流量センサ担当スプリンクラー番号入力欄９５ａに４７を入力し、５号車第２流量センサ担当スプリンクラー番号入力欄９５ｂに４８を入力する。
【００５５】
ところで、複数のスプリンクラーのうち、点検の対象外となるスプリンクラーもある。例えば、９番スプリンクラー４９から噴霧される水の流量を測定しない場合、ユーザーは、４号車第１流量センサ担当スプリンクラー番号入力欄９４ａには０を入力する。ここでいう「０」は、水噴霧量測定の対象外であるということを意味する。ユーザーは、４号車第２流量センサ担当スプリンクラー番号入力欄９４ｂに５０を入力し、６号車第１流量センサ担当スプリンクラー番号入力欄９６ａに５１を入力し、６号車第２流量センサ担当スプリンクラー番号入力欄９６ｂに５２を入力する。
【００５６】
ここで、従来の水噴霧量測定装置では、各流量センサの実際の順序と、表示装置に表示される画像での複数の入力欄の順序が同様ではないため、ユーザーは、各水噴霧量測定用車両１０の各流量センサが、どのスプリンクラーを担当して水の流量を検出しているのかを考えて、入力装置に情報を入力する必要があった。しかしながら、本実施形態の水噴霧量測定装置１は、以上のように、図２に示す各流量センサの実際の順序と、表示装置６４に表示される画像での複数の入力欄の順序が同様となるスプリンクラー割当入力用画像を画像生成表示部７５が表示装置６４に表示させる。これにより、ユーザーは、実際のスプリンクラーの順序に基づいて、順序よくスプリンクラー番号を入力できる。よって、水噴霧量測定装置１は、ユーザーの負担を低減できる。結果として、水噴霧量測定装置１は、ユーザーによって誤った情報が入力されるおそれを抑制できる。
【００５７】
ここで、第１制御装置３１は、複数の流量センサの順序と同様の順に、複数の入力欄を必ずしも並べて表示装置６４に表示さなくてもよい。第１制御装置３１は、例えば、複数の入力欄を、複数の流量検出手段の順序と同様の順に、表示装置６４に１つずつ順次表示させてもよい。この場合、ユーザーが数値を１つ入力すると、第１制御装置３１は、次の入力欄を表示装置６４に表示させる。この場合でも、水噴霧量測定装置１は、ユーザーの負担を低減できる。結果として、水噴霧量測定装置１は、ユーザーによって誤った情報が入力されるおそれを抑制できる。 
【００５８】
第１制御装置３１が実行する手順の説明に戻る。図７に示すステップＳＴ１０７で、判定部７３は、各流量センサがどのスプリンクラーから噴霧された水の流量を検出するのかを指定する入力が完了されたか否かを判定する。具体的には、判定部７３は、図１０に示す完了ボタン８７が操作された場合にこれらの入力が完了されたと判定する。前記入力が完了された場合（ステップＳＴ１０７、Ｙｅｓ）、ステップＳＴ１０８で、情報取得部７１ａは、ステップＳＴ１０７でユーザーによって入力された情報、すなわち各流量センサがどのスプリンクラーから噴霧された水の流量を検出するのかを示す情報を取得する。
【００５９】
次に、ステップＳＴ１０９で、情報格納部７４ａは、各水噴霧量測定用車両１０の第１流量センサ２２ａ及び第２流量センサ２２ｂと、各スプリンクラーとの組み合わせの情報を、設定情報として記憶装置６１に格納させる。次に、ステップＳＴ１１０で、画像生成表示部７５は、例えば、図６に示すモード選択画面の画像を表示装置６４に表示させて、一連の手順を終了する。ここで、ユーザーによる入力が完了されない場合（ステップＳＴ１０７、Ｎｏ）、第１制御装置３１は、ステップＳＴ１０６に戻る。つまり、画像生成表示部７５は、前記入力が完了するまで、スプリンクラー割当入力用画像を表示する。
【００６０】
図１１は、水噴霧量測定結果を示す図表である。水噴霧量の計測に要する事前設定が完了し、図６に示すモード選択画面の画像で測定開始ボタン８０ａをユーザーが選択すると、水噴霧量測定装置１は、水噴霧量測定を開始する。第１制御装置３１から第６制御装置３６の各制御装置の演算部７２ａまたは演算部７２ｂは、各制御装置に接続される第１流量センサ２２ａ及び第２流量センサ２２ｂから取得した信号に基づいて、各流量センサが検出した水の流量を算出する。次に、第２制御装置３２から第６制御装置３６の各通信部７０ｂは、各流量センサが検出した水の流量に関する信号を送信する。
【００６１】
次に、第１制御装置３１の通信部７０ａは、前記信号を受信する。次に、第１制御装置３１の情報取得部７１ａは、図７に示すステップＳＴ１０７で記憶装置６１に格納された設定情報を取得する。次に情報格納部７４ａは、第２制御装置３２から第６制御装置３６の各制御装置に接続される第１流量センサ２２ａ及び第２流量センサ２２ｂが検出した水の流量と、設定情報とに基づいて、図１１に示すように、どのスプリンクラーがどれだけの量の水を噴霧したかを示す情報を組み合わせて、記憶装置６１にこの情報を水噴霧量測定結果として格納する。
【００６２】
より具体的には、本実施形態では、第１流量センサ２２ａ及び第２流量センサ２２ｂは、所定時間が経過する度に、それぞれが担当するスプリンクラーから噴霧される水の流量を検出する。本実施形態では、前記所定時間を１秒とする。第１制御装置３１から第６制御装置３６の各制御装置の情報取得部７１ａまたは情報取得部７１ｂは、１秒間隔で、第１流量センサ２２ａ及び第２流量センサ２２ｂから検出結果に関する信号を取得する。そして、第１制御装置３１から第６制御装置３６の各制御装置の演算部７２ａまたは演算部７２ｂは、各スプリンクラーから噴霧される水の流量をその都度算出する。
【００６３】
第２制御装置３２から第６制御装置３６の各制御装置の通信部７０ｂは、各スプリンクラーから噴霧される水の流量に関する信号をその都度送信する。第１制御装置３１の通信部７０ａは、前記信号を受信する。そして、第１制御装置３１の情報格納部７４ａは、各スプリンクラーから噴霧された水の流量に関する情報を、記憶装置６１に格納して蓄積していく。このようにして、第１制御装置３１は、図１１に示すように、時期Ｔ１の時に１番スプリンクラー４１が噴霧した水の流量Ｆ０１（１）から、時期Ｔｎの時に１番スプリンクラー４１が噴霧した水の流量Ｆ０１（ｎ）までの検出結果を、各時期別に記憶装置６１に蓄積させる。また、第１制御装置３１は、２番スプリンクラー４２から１２番スプリンクラー５２の各スプリンクラーに関しても、同様に、時期Ｔ１の時に各スプリンクラーが噴霧した水の流量Ｆ０２（１）からＦ１２（１）を始めとして、時期Ｔｎの時に各スプリンクラーが噴霧した水の流量Ｆ０２（ｎ）からＦ１２（ｎ）までの検出結果を記憶装置６１に蓄積させる。
【００６４】
ここで、本実施形態の制御装置３０は、複数の制御装置で構成されると説明したが、制御装置３０の構成はこれに限定されない。制御装置３０は、単一の制御装置で構成され、水噴霧量測定装置１が有するすべての流量センサに電気的に接続されてもよい。この場合であっても、制御装置３０は、各スプリンクラーから噴霧された水の流量を複数の流量センサから取得できる。
【産業上の利用可能性】
【００６５】
以上のように、本発明に係る流体噴霧量測定装置及び流体噴霧量測定方法は、流体噴霧装置を点検する技術に有用であり、特に、ユーザーによって誤った情報が入力されるおそれを抑制することに適している。
【符号の説明】
【００６６】
１  水噴霧量測定装置
１０  水噴霧量測定用車両
１１−１６  １号車−６号車
１７  車両本体
１８  リフト装置
１９  リフト台
２１ａ  第１集水器具
２１ｂ  第２集水器具
２２ａ  第１流量センサ
２２ｂ  第２流量センサ
３０  制御装置
３１−３６  第１制御装置−第６制御装置
４１−５２  １番スプリンクラー−１２番スプリンクラー
６０  Ｉ／Ｏインターフェイス
６１  記憶装置
６２  主処理部
６３  通信アンテナ
６４  表示装置
６５  入力装置
７０ａ、７０ｂ  通信部
７１ａ、７１ｂ  情報取得部
７２ａ、７２ｂ  演算部
７３  判定部
７４ａ、７４ｂ  情報格納部
７５  画像生成表示部
８０ａ  測定開始ボタン
８０ｂ  設定ボタン
８０ｃ  機器接続状態確認ボタン
８０ｄ  終了ボタン
８１−８６  １号車順番入力欄−６号車順番入力欄
８１ａ−８６ａ  １番目車両番号入力欄−６番目車両番号入力欄
８７  完了ボタン
８８  キャンセルボタン
９１ａ−９６ｂ  １号車第１流量センサ担当スプリンクラー番号入力欄−６号車第２流量センサ担当スプリンクラー番号入力欄
【図１】
0005400554.tif 000002
【図２】
0005400554.tif 000003
【図３】
0005400554.tif 000004
【図４】
0005400554.tif 000005
【図５】
0005400554.tif 000006
【図６】
0005400554.tif 000007
【図７】
0005400554.tif 000008
【図８】
0005400554.tif 000009
【図９】
0005400554.tif 000010
【図１０】
0005400554.tif 000011
【図１１】
0005400554.tif 000012